【手続補正書】
【提出日】平成17年5月27日(2005.5.27)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】  正面側に開口する箱形の筐体ユニットと、
筐体ユニットの開口部を開閉自在に塞ぐ前扉と、
複数の図柄を変動表示又は停止表示可能な図柄表示手段と、
遊技媒体を払い出すための払い出し装置と、
前記図柄表示手段及び前記払い出し装置の作動を制御するための制御装置とを少なくとも有する遊技機であって、
第一の支持体に少なくとも前記払い出し装置を設置した第一交換ユニットと、
第二の支持体に少なくとも前記図柄表示手段と前記制御装置とを設置した第二交換ユニットを設け、
前記第一交換ユニットを、前記筐体ユニットに対して前後方向に着脱自在に形成するとともに、前記第二交換ユニットを前記第一交換ユニットの内部に収納支持可能に形成し、
前記第二交換ユニットを、前記第一交換ユニット内に前方から挿入して収納した後、前記第二交換ユニットを前記筐体ユニット又は／及び第一交換ユニットに固定し、前記第二交換ユニットのみ、あるいは前記第一交換ユニット及び第二交換ユニットを一体として、前記筐体ユニットから着脱自在とし、
前記前扉は、上扉と下扉とから成り、前記上扉は、前記第二交換ユニットの第二の支持体に回動自在に取り付けられていることを特徴とする遊技機。
【請求項２】  前記第一交換ユニットに、遊技機の内部装置を電気的に接続可能な電気的接続手段を固定したことを特徴とする請求項１記載の遊技機。
【請求項３】  前記筐体ユニットに、ホールコンピュータと接続可能な集中端子板と、外部電源装置に接続可能な電源部とを少なくとも設け、
前記第一交換ユニットに、前記集中端子板及び電源部及び遊技機の内部装置を電気的に接続可能な電気的接続手段を固定したことを特徴とする請求項１又は２記載の遊技機。
【発明の詳細な説明】
【０００１】
【発明の属する技術分野】
この発明は、箱形で前扉を有する遊技機、さらに詳しくは、内部装置を複数のユニットに分けて交換可能な分離型遊技機に関するものである。
【０００２】
【従来の技術】
従来の遊技機、例えばスロットマシンについては、遊技内容を変更するために遊技機の交換を行う際、遊技には直接関係のない筐体やホッパーユニット等も同時に交換され、交換に要する費用がかかるだけでなく、資源の無駄となっていた。この問題点を解決すべく、遊技に関わる部分のみを交換可能に形成した分離型スロットマシンが考案されている（特願２００２−１５６６２６）。これは、リールユニット及び基板を搭載した交換ユニットを、筐体から脱着可能に形成したものである。具体的には、交換ユニットを筐体内部に設けられた中板の上に載せて固定又は固定解除することにより着脱するように形成されている。
【０００３】
【発明が解決しようとする課題】
上記した従来の分離型遊技機においては、交換ユニット以外の構成部品、例えばホッパーユニットなども交換する場合には、筐体ごと取り替えることとなる。しかし、筐体は内部装置と異なり、それほど消耗や損傷する物ではなく、内部装置の交換のたびに取り替えるのは無駄が多い。そこで、さらに、遊技に関わる部分と、その他交換頻度の少ない部分とに分けて分離可能とし、筐体を永久的に使用しようとするスロットマシンも考案されている（特願２００２-２６３８２）。
【０００４】
しかし、この所謂上下分離型スロットマシンにおいて、内部装置を電気的に接続するためのケーブルなどの電気配線を筐体に固定してしまうと、配線も筐体と共に半永久的に使用することとなり、設計変更や損傷による交換が困難となる。一方、電気配線を交換ユニット側に固定してしまうと、上部ユニット又は下部ユニットのどちらかのみを交換する際に、その交換ユニットに固定されている配線を取り外し、新たなユニットに固定するといった煩雑な作業が必要となる。
【０００５】
そこで、各請求項にそれぞれ記載された各発明は、上記した従来の技術の有する問題点に鑑みてなされたものであり、その目的とするところは次の点にある。
（請求項１）
請求項１記載の発明は、交換の必要性のある内部装置をすべて筐体から分離可能に形成し、より資源の有効活用、交換費用の節減を図ると共に、交換作業の便に優れた遊技機を提供することを目的とする。
【０００６】
（請求項２又は３）
請求項２又は３記載の発明は、上記した請求項１記載の発明の目的に加え、次の点を目的とする。
すなわち、請求項２又は３記載の発明は、内部装置の電気配線が容易に行える遊技機を提供することを目的とする。
【０００７】
【課題を解決するための手段】
各請求項にそれぞれ記載された各発明は、上記した各目的を達成するためになされたものであり、各発明の特徴点を図面に示した発明の実施の形態を用いて、以下に説明する。
なお、かっこ内の符号及び図面番号は、発明の実施の形態において用いた符号及び番号を示し、本発明の技術的範囲を限定するものではない。
【０００８】
（特徴点）
（請求項１）
請求項１記載の発明は、次の点を特徴とする。
すなわち、請求項１記載の発明は、正面側に開口する箱形の筐体ユニット(1)と、筐体ユニット(1)の開口部(100)を開閉自在に塞ぐ前扉(3)と、複数の図柄を変動表示又は停止表示可能な図柄表示手段と、遊技媒体を払い出すための払い出し装置と、前記図柄表示手段及び前記払い出し装置の作動を制御するための制御装置とを少なくとも有する遊技機であって、第一の支持体（第一支持体(11)）に少なくとも前記払い出し装置を設置した第一交換ユニット(10)と、第二の支持体（第二支持体(21)）に少なくとも前記図柄表示手段と前記制御装置とを設置した第二交換ユニット(20)を設けてある。そして、前記第一交換ユニット(10)を、前記筐体ユニット(1)に対して前後方向に着脱自在に形成するとともに、前記第二交換ユニット(20)を前記第一交換ユニット(10)の内部に収納支持可能に形成し、前記第二交換ユニット(20)を、前記第一交換ユニット(10)内に前方から挿入して収納した後、前記第二交換ユニット(20)を前記筐体ユニット(1)又は／及び第一交換ユニット(10)に固定し、前記第二交換ユニット(20)のみ、あるいは前記第一交換ユニット(10)及び第二交換ユニット(20)を一体として、前記筐体ユニット(1)から着脱自在に形成し、前記前扉(3)は、上扉(30)と下扉(40)とから成り、前記上扉(30)は、前記第二交換ユニット(20)の第二の支持体(21)に回動自在に取り付けられていることを特徴とする。
【０００９】
本発明は、複数の図柄を表示可能な図柄表示手段を有する遊技機、例えばスロットマシンなどに適している。
ここで、「図柄表示手段」とは、複数の図柄を変動表示又は停止表示可能な手段であって、具体的には、例えばモータにより回転する回転リール(23)や、液晶画面やＣＲＴ、ドットマトリックスなどの画像表示装置とすることができる。
【００１０】
また、「払い出し装置」は、遊技媒体を払い出すためのものであり、遊技媒体を貯留可能に形成されていてもよい。ここで、遊技媒体とは、例えばスロットマシンのメダルやパチンコの玉などのことである。
また、「制御装置」は、いわゆる制御基板といわれるものであり、ＣＰＵ、ＲＯＭ、ＲＡＭ等の電子部品を備えている。これらはケースに収納され、基板ユニット(24)を構成している。制御装置は、前記払い出し装置及び図柄表示手段の表示を制御するためのものであるが、上記手段以外のものを制御可能であってもかまわない。
【００１１】
前記筐体ユニット(1)は、正面側に開口する箱体であって、底板、側板(110)、天板、裏板(120)を有している。
前記前扉(3)は、前記筐体ユニット(1)の開口部(100)を開塞自在に形成されており、扉を閉めると遊技機の正面構造となるように形成されているものである。すなわち、図柄表示手段の表示を見ることができる図柄表示窓(31)や、遊技機を操作するための操作部(41)等を設けることができるものである。なお、この前扉(3)は、上扉(30)及び下扉(40)に二分割されている。そして、上扉(30)は、第二交換ユニット(20)の第二の支持体(21)に取り付けられている。
【００１２】
第一交換ユニット(10)は、前記筐体ユニット(1)内に前後方向に着脱自在に収納される第一の支持体(11)に、払い出し装置（例えばホッパーユニット(5)）を少なくとも搭載している。第一の支持体(11)は、内部装置を設置することが可能な強度を有する枠状の構造体であれば良いものであり、具体的には、例えば、直方体状の枠構造からなる金属枠のようなものを含むものである。そして、第一の支持体(11)の内部には、仕切り（例えば載置板(15)）を設けて、内部装置を設置しやすくしても良いものである。第一交換ユニット(10)は、例えばクリップなどの固定装置(8)により筐体ユニット(1)内部に固定されると共に、固定装置(8)を解除することにより、筐体ユニット(1)から取り出し可能となっている。
【００１３】
第二交換ユニット(20)は、前記第一交換ユニット(10)に前方から収納可能に形成された第二の支持体(21)に、図柄表示手段（例えばリールユニット(22)）と制御装置を少なくとも搭載している。第二交換ユニット(20)は、載置手段（例えば載置板(15)）や吊り下げ手段（例えばガイドレール(19)とガイドローラ(27)）などの支持手段(9)を介して、前記第一交換ユニット(10)に収納支持されるとともに、例えばクリップなどの固定装置(8)により固定される。第二交換ユニット(20)は、第一交換ユニット(10)内に収納可能であれば、必ずしも第一交換ユニット(10)に固定されていなくともよく、筐体ユニット(1)に固定されていてもかまわない。あるいは双方に固定されていてもよい。また、その設置位置も、第一交換ユニット(10)の上方、中央、下方いずれの位置であってもかまわない。そして、固定装置(8)を解除することにより、筐体ユニット(1)又は第一交換ユニット(10)から取り出し可能となっている。
【００１４】
（作用）
遊技機交換の際には、図柄表示手段及び制御装置の配置された第二交換ユニット(20)を上扉(30)と一体で交換する。払い出し装置は、第一交換ユニット(10)とともに、筐体ユニット(1)に残しておくことができる。また、払い出し装置も交換する場合には、第一交換ユニット(10)を交換する。第二交換ユニット(20)は、第一交換ユニット(10)内に収納支持されているので、第二交換ユニット(20)も一緒に筐体ユニット(1)から取り出せる。筐体ユニット(1)は、遊技場にそのまま残しておくことができる。
【００１５】
（請求項２）
請求項２記載の発明は、上記した請求項１記載の発明の特徴点に加え、次の点を特徴とする。
すなわち、請求項２記載の発明は、前記第一交換ユニット(10)に、遊技機の内部装置を電気的に接続可能な電気的接続手段(6)を固定したことを特徴とする。
【００１６】
本発明は、遊技機の構成部品同士、又は遊技機の構成部品と遊技機外部の装置（例えばホールコンピュータ）を電気的に接続可能な電気的接続手段(6)を、第一交換ユニット(10)に固定したものである。ここで、電気的接続手段(6)は、ハーネス、コード、ケーブルなどの配線手段と、コネクタなどの接続手段の他に、前記配線手段をカバーする部材（例えばケーブルダクト(62)）も含む。
【００１７】
なお、前記電気的接続手段(6)の固定位置は、第一交換ユニット(10)の背面側とするのが好ましいが、これには限られず、例えば側面側に固定してもよい。
（作用）
本発明によれば、第二交換ユニット(20)に設置されている図柄表示手段や制御装置と、第一交換ユニット(10)に固定されている電気的接続手段(6)との接続を外すことにより、第二交換ユニット(20)と筐体ユニット(1)及び第一交換ユニット(10)との電気的接続が断絶され、第二交換ユニット(20)を筐体ユニット(1)から取り出すことができる。すなわち、ケーブルコネクタの着脱のみで、面倒な配線（ケーブルの取り付け）作業は行わなくてよい。なお、以下「配線作業」という場合には、配線ケーブルの取り付け作業のことを言うものとし、コネクタの接続及び取り外し等は含まないものとする。
【００１８】
また、第一交換ユニット(10)の交換は、第二交換ユニット(20)の交換と同時に行うことができ、この際には電気的接続手段(6)の接続を外す作業は必要ない。また、電気的接続手段(6)も第一交換ユニット(10)と共に適度な頻度で交換されることになる。
このように、第一交換ユニット(10)に電気配線をあらかじめ取り付けておくことにより、第二交換ユニット(20)の交換時にも、第一交換ユニット(10)の交換時にも、面倒な配線作業を行う必要がない。
【００１９】
（請求項３）
請求項３記載の発明は、上記した請求項１又は２記載の発明の特徴点に加え、次の点を特徴とする。
すなわち、請求項３記載の発明は、前記筐体ユニット(1)に、ホールコンピュータと接続可能な集中端子板(60)と、外部電源装置に接続可能な電源部(61)とを少なくとも設け、前記第一交換ユニット(10)に、前記集中端子板(60)及び電源部(61)及び遊技機の内部装置を電気的に接続可能な電気的接続手段(6)を固定したことを特徴とする。
【００２０】
前記集中端子板(60)は、遊技機の内部装置とホールコンピュータを接続するためのものである。ホールコンピュータは、各遊技機の作動状況の把握やロック管理などを行うようになっており、ホールに設置されている遊技機を総合的に管理するものである。また、前記電源部(61)は、遊技機の主電源をとるためのものであり、電源部(61)から電源ユニット(4)などの内部装置を介して、遊技機内の電子機器に送電するようになっている。
【００２１】
本発明においては、集中端子板(60)と遊技機の構成部品、電源部(61)と遊技機の構成部品、そして各構成部品同士を電気的に接続可能な電気的接続手段(6)が、第一交換ユニット(10)に固定されている。
（作用）
第二交換ユニット(20)に設置されている図柄表示手段や制御装置と、第一交換ユニット(10)に固定されている電気的接続手段(6)との接続を外すことにより、第二交換ユニット(20)と筐体ユニット(1)及び第一交換ユニット(10)との電気的接続が断絶され、第二交換ユニット(20)を筐体ユニット(1)から取り出すことができる。
【００２２】
また、第一交換ユニット(10)の電気的接続手段(6)と集中端子板(60)及び電源部(61)との接続を外すことにより、第一交換ユニット(10)及び第二交換ユニット(20)と筐体ユニット(1)との電気的接続が断絶され、第一交換ユニット(10)及び第二交換ユニット(20)を筐体ユニット(1)から取り出すことができる。
【００２３】
【発明の実施の形態】
本発明を表す好適な実施の形態を、遊技機としてスロットマシンを例に図面に基づき説明する。
（図面の説明）
図１乃至図７は、本発明の実施の形態を示すものである。
【００２４】
図１はスロットマシンの分解斜視図、図２はスロットマシンの開扉状態を示す斜視図、図３は交換ユニットの分解斜視図、図４はスロットマシンの縦断面図、図５は交換ユニットの他の形態を示す分解斜視図、図６は筐体ユニットの他の例を示す図、図７は第一交換ユニットの交換を示す斜視図である。
本実施の形態におけるスロットマシンＳは、図１に示すように、大きく分けて、正面側に開口部100を有する筐体ユニット１、筐体ユニット１の開口部100内に着脱自在に収納される交換ユニット２、前記開口部100を開閉可能に塞ぐ前扉３とから構成されており、前記交換ユニット２は、第一交換ユニット10及び第一交換ユニット10内に収納可能な第二交換ユニット20とから構成され、前記前扉３は、上扉30及び下扉40とから構成されている。
【００２５】
（筐体ユニット１）
筐体ユニット１は、図１に示すように、底板及び天板及び側板110及び裏板120からなる正面側に開口する箱体である。
前記裏板120の右上方には、遊技機とホールコンピュータとを接続するための集中端子板60が設けられており、裏板120の左下方には、下部スピーカ50が取り付けられている。また、裏板120の右端中央部よりも若干下側には、遊技機の主電源をとるための電源部61が設けられている。そして、前記側板110の内側面手前側には、後述する交換ユニット２を固定するための固定装置８が、上下に二個ずつ取り付けられている。
【００２６】
筐体ユニット１は、台交換の際にもホールに設置したままにしておけるものであり、破損等しない限り、半永久的に使用可能である。また、図示した例では、筐体ユニット１はスロットマシン一機に対応したものとなっているが、ホールの「島」と呼ばれる遊技機設置場所に、複数の交換ユニット２を並列して収納可能な筐体ユニット１を設置することも可能である。すなわち、図６に示すように、筐体ユニット１を内部に縦仕切130を設けた箱体として形成し、縦仕切130により形成される開口部100a〜100dに、第一交換ユニット10を収納固定するようにしたものである。このように形成すれば、筐体ユニット１の設置の手間が無く、台交換作業を楽に行うことができる。
【００２７】
（交換ユニット２）
交換ユニット２は、スロットマシンＳの内部装置を搭載可能であると共に、前記筐体ユニット１の内部に着脱自在に収納可能な構造体であり、第一交換ユニット10及び第二交換ユニット20からなる。
第一交換ユニット10は、筐体ユニット１の開口部100内に収納固定されるものであり、第二交換ユニット20は、支持手段９を介して第一交換ユニット10に支持されるとともに、筐体ユニット１の開口上部101内に固定されるものである。
【００２８】
（第一交換ユニット10）
第一交換ユニット10は、種々の部品を設置あるいは固定するための第一支持体11と、電源ユニット４及び払い出し装置としてのホッパーユニット５及び電気的接続手段６を有している。
【００２９】
第一支持体11は、図３に示すように、横枠12及び縦枠13及び側枠14を略直方体状に組み立ててなる金属枠であり、底板18を有すると共に、高さ方向略中央部には、支持手段９としての載置板15が水平に固定されている。第一支持体11の正面側の縦枠13には、下扉40を開閉自在に支持するための係合ピン16が、上下方向に間隔をおいて二つ設けられており、係合ピン16の対向側の縦枠13には、ロック機構７としての突片17が設けられている。また、第一支持体11の背面側には、電気的接続手段６としてのケーブルダクト62及びコネクタブラケット63が取り付けられているが、これについては後述する。
【００３０】
前記電源ユニット４は、前記載置板15の下面に取り付けられ、特に図示しないが電源装置や設定変更装置70が内蔵されており、正面側にはスロットマシンＳの主電源を入れるための電源スイッチや遊技機の設定を変更するためのスイッチ等を有している。また、前記ホッパーユニット５は、メダルを貯留すると共に払い出すためのものであり、第一支持体11の底板18に設置されるものである。
【００３１】
第一交換ユニット10は、筐体ユニット１の開口部100内に収納され、固定装置８により固定される。ここで、固定装置は、第一支持体11の正面側縦枠13に設けられたフックと、筐体ユニット１の側板110内面側に取り付けられたクリップとすることができるが、これに限られず、第一交換ユニット10を筐体ユニット１内に固定できるものであればよい。そして、第一交換ユニット10は、台交換の際にも筐体ユニット１内に設置したままにしておけるものであり、電気配線やホッパーユニット５の損傷等により交換する場合には、筐体ユニット１から取り外す。
【００３２】
（第二交換ユニット20）
第二交換ユニット20は、種々の部品を設置あるいは固定するための第二支持体21と、図柄表示手段としてのリールユニット22及び基板ユニット24とから形成されている。
前記第二支持体21の正面側には、上扉30を開閉自在に支持するための係合ピン25が、上下方向に間隔をおいて二つ設けられており、係合ピン25の対向側には、ロック機構７としての突片26が設けられている。
【００３３】
前記リールユニット22は、周囲に複数の図柄が表示された三個の回転リール23と、各回転リール23を回転させるための駆動モータを有している。
前記基板ユニット24は、前記リールユニット22の上方に載置された収納ケースであり、特に図示しないが、遊技及びスロットマシンＳの作動を制御するための主基板ＲＯＭ80と、各種演出を行うための副基板ＲＯＭ90とを有している。前記主基板ＲＯＭ80及び副基板ＲＯＭ90は、スロットマシンＳの制御装置として機能するものである。また、基板ユニット24には、内蔵されている各基板とリールユニットを電気的に接続すると共に、第一交換ユニット10の電気的接続手段６に接続するための第二ユニットケーブル67がとりつけられている。
【００３４】
第二交換ユニット20は、第一交換ユニット10の載置板15の上に載置収納され、固定装置８により筐体ユニット１に固定される。第二交換ユニット20は、台交換のたびに新たなものと取り替えられる。
なお、第二交換ユニット20を第一交換ユニット10に固定してもよい。この場合には、固定装置８を第一交換ユニット10の第一支持体11（例えば縦枠13や載置板15）に設ければよい。
【００３５】
（上扉30）
上扉30は、第二交換ユニット20の第二支持体21に回動自在かつロック可能に形成されている板状の扉であり、図１に示すように、略中央部に前記回転リール23の図柄を正面側から見ることができる図柄表示窓31を有し、周囲に飾り部33を設けてある。そして、種々の表示を行うための表示装置32が設けられているものである。
【００３６】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
さらに、図２に示すように、上扉30の裏面には、前記係合ピン25に係合可能な上扉係合部35が上下方向に間隔をおいて二つ設けられており、上扉係合部65の対向側には、ロック機構７が設けられている。ロック機構７は、扉を閉めることによりバネで付勢されたフックが第二交換ユニット20の突片26に係合してロック状態となり、解錠手段（図示せず）により前記フックと突片26との係合が外れてロック解除されるように形成されている。また、上扉30の裏面上部の左右には、種々の音声を出力するための上部スピーカ34が設けられている。
【００３７】
上扉30は、第二交換ユニット20を第一交換ユニット10に収納し筐体ユニット１に固定した状態で、筐体ユニット１の開口上部101を閉塞する。
（下扉40）
下扉40は、前記上扉30よりも幅厚の扉であり、第一交換ユニット10の縦枠13に回動自在かつロック可能に形成されているものである。
【００３８】
下扉40の上部は、図１に示すように、スロットマシンを作動させるための操作部41となっており、下扉40の上面は、閉扉時においては、上扉30よりも前側に突出するようになっている。また、下部には払い出されたメダルを溜めておくためのメダル皿43が形成されており、下扉40の略中央部には、遊技内容その他の表示をするための下パネル45が嵌め込まれている。この下パネル45は、下扉40本体から着脱自在に形成されている。
【００３９】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉３を解錠するためのものであり、この穴に所定の鍵を差し込んで回すと、下扉40のロックが解除されるものである。
【００４０】
さらに、図２に示すように、下扉40の裏面側には、前記メダル投入口42から投入されたメダルを誘導しながらメダルの正偽を判断するためのメダル投入装置46が設けられている。また、下扉40の裏面には、第一交換ユニット10の係合ピン16と係合可能な下扉係合部47が上下方向に間隔をおいて二つ設けられており、下扉係合部47の対向側には、ロック機構７が設けられている。
【００４１】
下扉40は、第一交換ユニット10を筐体ユニット１に収納固定した状態で、筐体ユニット１の開口下部102を閉塞する。
（電気的接続手段６）
ここで、電気的接続手段６について述べる。
電気的接続手段６は、スロットマシンＳに内設された各構成部品を電気的に接続するための手段であり、ケーブルなどの配線手段と、コネクタなどの接続手段を含む。そして、電気的接続手段６は、大別すると、第一交換ユニット10に固定される第一ユニットケーブル66と、第二交換ユニット20に接続され、交換時には第二交換ユニット20とともに第一交換ユニット10から取り外される第二ユニットケーブル67と、上下前扉に取り付けられた上扉ケーブル68及び下扉コネクタ69に分けられる。
【００４２】
第一ユニットケーブル66は、図３、図４に示すように、第一交換ユニット10の第一支持体11の背面側に設けられたケーブルダクト62及びコネクタブラケット63に収納されている。コネクタブラケット63は、第一支持体11の上端奥側に、側枠14にわたって設けられた箱体であり、正面側には第一ユニットコネクタ64が形成されている。そして、コネクタブラケット63の下部には、載置板15の下方まで伸びる筒状のケーブルダクト62が取り付けられている。第一ユニットケーブル66は、その一端は前記第一ユニットコネクタ64に接続し、他端は、ケーブルダクト62の下端部から出て、電源ユニット４、ホッパーユニット５にそれぞれ接続されていると共に、下扉40の下扉コネクタ69と接続可能な接続部を有している。さらに、コネクタブラケット63の下面又は背面から出て、筐体ユニット１の集中端子板の接続端子と接続可能な接続部を有している。
【００４３】
なお、電源ユニット４には、筐体ユニット１の電源部61と接続可能な電源ケーブル65が取り付けられている。
第二ユニットケーブル67は、図３、図４に示すように、その一端は基板ユニット24に取り付けられ、他端は、リールユニット22に接続されると共に、第一ユニットコネクタ64に接続可能な接続部を有している。そして、第二ユニットケーブル67を第一ユニットコネクタ64と接続することにより、第二交換ユニット20が電源ユニット４及びホッパーユニット５及び集中端子板60その他の内部装置と電気的に接続されるものである。第二交換ユニット20を交換する際には、第二ユニットケーブル67と第一ユニットコネクタ64との接続を外し、第二交換ユニット20を取り出せばよいので、面倒な配線作業を行う必要がない。
【００４４】
上扉ケーブル68は、図２に示すように、その一端は、表示装置32や飾り部33のランプ等の電子部品を制御するための制御基板に接続され、他端は、第一ユニットコネクタ64に接続可能な接続部と、基板ユニット24と接続可能な接続部を有している。そして、上扉ケーブル68を第一ユニットコネクタ64及び基板ユニット24と接続することにより、上扉30の電子部品と電源ユニット４及びホッパーユニット５及び基板ユニット24その他の内部装置と電気的に接続されるものである。
【００４５】
下扉コネクタ69は、下扉40の操作部41の電子部品と第一ユニットケーブル66とを接続するためのものであり、図２に示すように下扉40の裏面に設けられている。そして、第一ユニットケーブル66を下扉コネクタ69に接続することにより、操作部41の電子部品と電源ユニット４及びホッパーユニット５及び第二交換ユニット20その他の内部装置と電気的に接続されるものである。
【００４６】
なお、特に図示しないが、第一ユニットケーブル66は、筐体ユニット１の下部スピーカ50とも連結されている。
（交換ユニット２の交換）
次に、上記構成を有するスロットマシンＳの、交換ユニット２の交換手順について説明する。
【００４７】
（１）第二交換ユニット20の交換
遊技内容を変更するための台交換は、三ヶ月から六ヶ月に一度程度行われる。台交換では、遊技を制御する主基板ＲＯＭ、遊技に伴う演出を制御するための副基板ＲＯＭの交換、回転リール23の図柄、スロットマシンＳの正面デザインの変更をする必要があるところ、本実施の形態によれば、第二交換ユニット20及び下パネル45を交換すれば足りる。
【００４８】
第二交換ユニット20を取り外す場合には、まず上扉30のロックを解除して上扉30を開放し、第二交換ユニット20を筐体ユニット１に固定している固定装置８を解除する。また、第二ユニットケーブル67と第一ユニットコネクタ64、及び上扉ケーブル68と第一ユニットコネクタ64との接続を外す。そして第二交換ユニット20を筐体ユニット１の開口上部101から取り出す。なお、上扉30は第二交換ユニット20に取り付けたまま同時に取り外すことができる。しかる後、新たな第二交換ユニット20を収納固定する。
【００４９】
また、下扉40から下パネル45を取り外し、新たな下パネル45を取り付ける。なお、操作部41の構成部品に損傷等がある場合には、下扉40ごと交換することもできる。この場合には、本体ユニットケーブル66を下扉コネクタ69から外し、下扉係合部47と第一交換ユニット10の係合ピン16との係合を外して、下扉40を取り外せばよい。そして、新たな下扉40をとりつける。
【００５０】
このような台交換を行った場合には、筐体ユニット１及び第一交換ユニット10は、ホールに残したままにしておける。すなわち、電源ユニット４及びホッパーユニット５は、新しい遊技機になってもそのまま再度使用でき、また第一交換ユニット10に固定されている第一ユニットケーブル66等の電気的接続手段６もそのまま使用できる。また、第二交換ユニット20の脱着の際、第一ユニットコネクタ64と第二ユニットケーブル67の取り付け取り外しのみで電気的接続又は切断ができ、面倒な配線作業が必要ない。従って、構成部品を有効利用できると共に交換作業が容易に行える。
【００５１】
（２）第一交換ユニット10の交換
メダルを払い出すホッパーユニット５などの装置は、一年に一度程度交換が必要である。かかる場合には、台交換に際し、第二交換ユニット20を第一交換ユニット10ごと交換する。
第一交換ユニット10を取り外す場合には、下扉40及び上扉30のロックを解除して前扉３を開放し、第二交換ユニット20を筐体ユニット１に固定している固定装置８及び第一交換ユニット10を筐体ユニット１に固定している固定装置８を解除する。また、第一ユニットケーブル66と集中端子板60及び下部スピーカ50との接続、電源ユニット４と電源部61との接続を外す。そして、第一交換ユニット10を筐体ユニット１の開口部100から取り出す。
【００５２】
この際、例えば図６に示すような脱着用台200を用いると、第二交換ユニット20を第一交換ユニット10内に設置したままでも、安全かつ容易に第一交換ユニット10を取り出すことができる。脱着用台200は、上面にころ220を有する上枠210にキャスターなどの移動手段を設けた脚部211を取り付けた構造であり、ころ220の高さは筐体ユニット１の底板と同じ高さなるように形成されている。そして、上枠210の端部を筐体ユニット１の正面側にストッパー（図示せず）などの固定手段で固定し、第一交換ユニット10を手前に引き出すと、第一交換ユニット10がころ220の上を移動して筐体ユニット１から外に出てくるようになっている。第一交換ユニット10を筐体ユニット１に収納する場合にも、この脱着用台200を使用すれば容易に収納することができる。
【００５３】
なお、上扉30及び下扉40は、第二交換ユニット20及び第一交換ユニット10に取り付けたまま同時に取り外すことができる。
このような台交換を行った場合には、筐体ユニット１はホールに残したままにしておけるので、集中端子板60及び下部スピーカ50及び電源部61は、新しい遊技機になってもそのまま再度使用できる。従って、遊技機とホールコンピュータとを接続する作業を行う必要がなく、筐体ユニット１は破損等しなければ数年間程度再利用できる。また、第一交換ユニット10の脱着の際、第一ユニットケーブル66及び電源ケーブル65と集中端子板60及び下部スピーカ50及び電源部61との取り付け取り外しのみで電気的接続又は切断ができ、面倒な配線作業が必要ない。
【００５４】
（交換ユニット２の他の形態）
ここで、交換ユニット２の形態について、他の例を示す。
上記した実施の形態は、第二交換ユニット20を載置板15に乗せて支持するものであったが、図５に示すように、第二交換ユニット20を上方から吊り下げるようにしてもよい。
【００５５】
すなわち、支持手段９として、第一交換ユニット10にガイドレール19を、第二交換ユニット20にガイドローラ27を設けたものである。ガイドレール19は、第一支持体11の縦枠13の上方に奥行き方向にわたって二つ平行して取り付けられ、相対向する溝部を有する断面コ字状の部材である。そして、ガイドローラ27は、第二交換ユニット20の第二支持体21の両側端部に、奥行き方向に二個並列して取り付けられており、前記ガイドレール19の溝部に嵌り込むと共に、第二交換ユニット20を第一交換ユニット10の上部に支持可能なものである。
【００５６】
このように形成すると、ガイドレール19及びガイドローラ27により第二交換ユニット20が好適な収納位置に誘導され、またガイドローラ27がガイドレール19に係合することにより第二交換ユニット20の重量を支えるので、第二交換ユニット20を載置板15に乗せる場合よりも交換作業が楽に行える。
上記構成の場合、載置板15は必要ない。ただし、第二交換ユニット20に設置されている制御基板をいわゆる「ゴト」行為から保護するため、上扉30の内部空間（開口上部101）と、下扉40の内部空間（開口下部102）とを分離独立させておくほうが好ましいことから、第二交換ユニット20に底板を設けるのが望ましい。また、電源ユニット４は、第一交換ユニット10の底板18に設置する。
【００５７】
さらに、図示するように、下部スピーカ50を第一交換ユニット10の背面に取り付けてもよい。このように形成すると、第一交換ユニット10の交換時に、下部スピーカ50と内部装置との接続を外さなくてもよいので、交換作業がより容易になる。また、電源ユニット４に、副基板ＲＡＭ91を内蔵させてもよい。このように形成すると、基板ユニット24に内蔵される副基板ＲＯＭの容量に関わらず種々の演出データを記憶させることができ、また遊技に応じてデータを書き換えることができるので、演出をより多様なものとすることができる。
【００５８】
また、スロットマシンＳの設定を変更するための設定変更装置70を、電源ユニット４と分けて第二交換ユニット20に設置してもよい。これは、メダルの補給等により頻繁に下扉40を開ける必要のある開口下部102に重要部品を配置しないことにより、セキュリティーの向上を図ろうというものである。
以上のように、上述した実施の形態によれば、スロットマシンの構成部品を交換頻度に応じてユニット化することにより、省資源に役立ち、ひいては交換に係るコストを削減できる。また電気的接続手段６を第一交換ユニット10に固定することにより、面倒な配線作業が必要なく、交換作業がしやすいと共に、電気的接続手段６を交換頻度の低い第一交換ユニット10と一緒に適当な頻度で交換できるので、ケーブル類のメンテナンスがしやすく、かつケーブル類を無駄にすることがない。
【００５９】
なお、以上述べた実施の形態は、前扉３（上扉30及び下扉40）が交換ユニット２に取り付けられているものであったが、前扉３を筐体ユニット１にとりつけてもよい。また、前扉３を上下二分割せず一枚物に形成してもよい。さらに、本発明は、スロットマシン以外の遊技機についても応用できるものである。
【００６０】
【発明の効果】
本発明は、以上のように構成されているので、以下に記載されるような効果を奏する。
（請求項１）
請求項１記載の発明によれば、次のような効果を奏する。
【００６１】
すなわち、請求項１記載の発明によれば、交換の必要性のある内部装置をすべて筐体から分離可能に形成し、より資源の有効活用、交換費用の節減を図ると共に、交換作業の便に優れた遊技機を提供することができる。
（請求項２又は３）
請求項２又は３記載の発明によれば、上記した請求項１記載の発明の効果に加え、次のような効果を奏する。
【００６２】
すなわち、請求項２又は３記載の発明によれば、内部装置の電気配線が容易に行える遊技機を提供することができる。
【図面の簡単な説明】
【図１】
本発明の実施の形態であって、スロットマシンの分解斜視図である。
【図２】
本発明の実施の形態であって、スロットマシンの前扉を開いた斜視図である。
【図３】
本発明の実施の形態であって、交換ユニットの分解斜視図である。
【図４】
本発明の実施の形態であって、スロットマシンの縦断面図である。
【図５】
本発明の他の実施の形態であって、交換ユニットの分解斜視図である。
【図６】
本発明の実施の形態であって、筐体ユニットの他の例を示す概略斜視図である。
【図７】
本発明の実施の形態であって、脱着用台を用いた第一交換ユニットの交換を示す斜視図である。
【符号の説明】
Ｓ  スロットマシン
１  筐体ユニット                    ２  交換ユニット
３  前扉                            ４  電源ユニット
５  ホッパーユニット                ６  電気的接続手段
７  ロック機構                      ８  固定装置
９  支持手段
10  第一交換ユニット                11  第一支持体
12  横枠                            13  縦枠
14  側枠                            15  載置板
16  係合ピン                        17  突片
18  底板                            19  ガイドレール
20  第二交換ユニット                21  第二支持体
22  リールユニット                  23  回転リール
24  基板ユニット                    25  係合ピン
26  突片                            27  ガイドローラ
30  上扉                            31  図柄表示窓
32  飾り部                          33  表示装置
34  上部スピーカ                    35  上扉係合部
40  下扉                            41  操作部
42  メダル投入口                    43  メダル皿
44  鍵穴                            45  下パネル
46  メダル投入装置                  47  下扉係合部
50  下部スピーカ
60  集中端子板                      61  電源部
62  ケーブルダクト                  63  コネクタブラケット
64  第一ユニットコネクタ            65  電源ケーブル
66  第一ユニットケーブル            67  第二ユニットケーブル
68  上扉ケーブル                    69  下扉コネクタ
70  設定変更装置                    80  主基板ＲＯＭ
90  副基板ＲＯＭ                    91  副基板ＲＡＭ
100 開口部                          101 開口上部
102 開口下部
110 側板                            120 裏板
200 脱着用台                        210 上枠
211 脚部                            220 ころ